(57)【要約】【課題】車椅子や杖を使用する人などにとって使い勝手の良いロッカー、該ロッカーに用いられる使用性に優れたハンガーを提供する。【解決手段】ロッカー本体２の前面下方には、車椅子２２のつま先部２３が入る開口部２４が形成されており、開口部２４には靴２７を載置できる靴置棚２５が奥行方向にスライド自在に設けられている。ロッカー本体２の内部にはハンガーレール１６が設けられハンガー３０が掛けられている。ハンガー３０は、洋服１１を掛けるハンガー本体３１と、フック３２と、ハンガー本体３１に揺動自在に一端側を連結された持ち手３３を有している。使用者は持ち手３３の取っ手３６を掴んで引くことにより、ハンガー３０及び洋服１１を容易に前面側に引き出すことができる。【選択図】        図４
2006068026.tif 000002
【特許請求の範囲】
【請求項１】
ハンガー本体と、該ハンガー本体を吊り下げるためのフックを有するハンガーにおいて、上記ハンガー本体に一端側を連結されて揺動可能に設けられ、非使用時は垂れ下がった状態となる引き寄せ用又は押し込み用の棒状の持ち手を有していることを特徴とするハンガー。
【請求項２】
請求項１記載のハンガーにおいて、上記ハンガー本体と上記持ち手は、ハンガー本体に設けられた被係止部と、持ち手に設けられた前記被係止部に係止する係止部材との係止構成により連結され、且つ前記係止部材に弾接して係止部材を被係止部材に係止する方向へ付勢する弾性体を備えたことを特徴とするハンガー。
【請求項３】
箱状のロッカー本体と、該ロッカー本体の内部に設けられたハンガーレールと、該ハンガーレールに掛けられたハンガーを有するロッカーにおいて、上記ハンガーが請求項１又は２記載のハンガーであり、上記持ち手が、車椅子に乗った人が少なくともその下端部を手で掴むことができる長さを有していることを特徴とするロッカー。
【請求項４】
請求項３記載のロッカーにおいて、上記ハンガーレールが上記ロッカー本体の奥行方向に延びるように設けられ、且つ、同方向にスライドして伸縮可能な構成を有していることを特徴とするロッカー。
【請求項５】
請求項３又は４記載のロッカーにおいて、上記ロッカー本体の前面下方に、車椅子のつま先部が入る開口部を有していることを特徴とするロッカー。
【請求項６】
請求項５記載のロッカーにおいて、上記開口部に、奥行方向にスライド自在な靴置棚が設けられていることを特徴とするロッカー。
【発明の詳細な説明】
【技術分野】
【０００１】
本発明は、衣類を掛けるハンガー、及び衣類等を収納するためのロッカーに関し、詳しくは、特に体の不自由な人や老齢の人に好適なハンガー及びロッカーに関する。
【背景技術】
【０００２】
洋服等の衣類を収納するためのロッカー（洋服タンスや収納棚等の概念を含む）としては、従来より種々の構造のものが提案されている。例えば、上部に洋服やコート等をハンガーにより吊り下げて収納する収納本体部と、この収納本体部の下方に設けられた引き出し等を備えた構造のものが知られている。
【０００３】
【特許文献１】特開２００３−０７０５６７号公報
【発明の開示】
【発明が解決しようとする課題】
【０００４】
この種のロッカーでは、収納量や使用性、機能性等の種々の観点から工夫がなされ、それぞれの特性に応じて色々な形状や寸法設定がなされているが、いずれも健常者を使用対象とした設計となっている。
このため、車椅子を使用する人や杖を使用する老齢の人などにとっては必ずしも、使い勝手が良いものとはなっていない。
例えば、健常者にとってはロッカー本体の下端部に設けられた引き出しでも腰をかがめたりして容易に出し入れ操作をすることができるが、車椅子や杖を使用する人などにとっては容易ではない。
【０００５】
本発明は、車椅子や杖を使用する人などにとって使い勝手の良いロッカー、該ロッカーに用いられる使用性に優れたハンガーの提供を、その目的とする。
【課題を解決するための手段】
【０００６】
請求項１記載の発明は、ハンガー本体と、該ハンガー本体を吊り下げるためのフックを有するハンガーにおいて、上記ハンガー本体に一端側を連結されて揺動可能に設けられ、非使用時は垂れ下がった状態となる引き寄せ用又は押し込み用の棒状の持ち手を有していることを特徴とするハンガーである。
【０００７】
請求項２記載の発明は、請求項１記載のハンガーにおいて、上記ハンガー本体と上記持ち手は、ハンガー本体に設けられた被係止部と、持ち手に設けられた前記被係止部に係止する係止部材との係止構成により連結され、且つ前記係止部材に弾接して係止部材を被係止部材に係止する方向へ付勢する弾性体を備えたことを特徴とするハンガーである。
【０００８】
請求項３記載の発明は、箱状のロッカー本体と、該ロッカー本体の内部に設けられたハンガーレールと、該ハンガーレールに掛けられたハンガーを有するロッカーにおいて、上記ハンガーが請求項１又は２記載のハンガーであり、上記持ち手が、車椅子に乗った人が少なくともその下端部を手で掴むことができる長さを有していることを特徴とするロッカーである。
【０００９】
請求項４記載の発明は、請求項３記載のロッカーにおいて、上記ハンガーレールが上記ロッカー本体の奥行方向に延びるように設けられ、且つ、同方向にスライドして伸縮可能な構成を有していることを特徴とするロッカーである。
【００１０】
請求項５記載の発明は、請求項３又は４記載のロッカーにおいて、上記ロッカー本体の前面下方に、車椅子のつま先部が入る開口部を有していることを特徴とするロッカーである。
【００１１】
請求項６記載の発明は、請求項５記載のロッカーにおいて、上記開口部に、奥行方向にスライド自在な靴置棚が設けられていることを特徴とするロッカーである。
【発明の効果】
【００１２】
請求項１記載の発明によれば、車椅子に乗った人等でも容易にロッカー内に掛けられたハンガーを移動させることができ、使用性の向上を図ることができる。
請求項２記載の発明によれば、簡単な連結構成で持ち手の自由度を大きくすることができる。
【００１３】
請求項３記載の発明によれば、車椅子に乗った人等でも容易にロッカー内に掛けられたハンガーを移動させることができ、使用性の向上を図ることができる。
請求項４記載の発明によれば、持ち手による労力の少ない操作でロッカー内のハンガーを移動させることができる。
請求項５記載の発明によれば、車椅子に乗った人がロッカー本体により近づくことができ、出し入れ操作が容易となる。
【００１４】
請求項６記載の発明によれば、開口部を収納スペースとして有効に使用することができる。
【発明を実施するための最良の形態】
【００１５】
以下、本発明の一実施形態を図１乃至図４に基づいて説明する。
図２に示すように、本実施形態におけるロッカー１は、箱状をなすロッカー本体２と、ロッカー本体２の左右の側板３、４に蝶番５で回動自在に支持された扉６、７と、ロッカー本体２の下方部の左右に設けられた引き出し８、９等を有している。扉６の裏面には頭部４０ａを有するハンガー掛け４０が設けられている。
蝶番５は着脱が容易なスライド蝶番であり、各扉６、７はそれぞれ上端部、中央部、下端部の３箇所で支持されている。引き出し８、９は、埋め込み式のフラットな取っ手８ａ、９ａを有しており、車椅子やそれに乗った人等が突起物にぶつからないように配慮されている。図示しないが、扉６、７においても同様の取っ手を有している。
ロッカー本体２の内部には上下方向に延びる仕切り板１０が設けられており、これにより洋服１１や図示しないコート等を吊り下げて収納する収納本体部１２と、その他の衣類等を収納する可動棚部１３が区画されている。
【００１６】
収納本体部１２には、さらに１枚の可動棚板１４により上部に収納スペース１５が区画されている。可動棚板１４の下面には、ロッカー本体２の奥行方向に延びるハンガーレール１６が取り付けられている。
ハンガーレール１６は、可動棚板１４の下面に固定されたガイドレール１７と、このガイドレール１７に係止して奥行方向（前後方向又は矢印Ａ方向）にスライドするハンガーレール本体１８を有している。ハンガーレール本体１８は、後述するハンガー３０を掛けるハンガーバー１９を一体に有している。
図３（ａ）に示すように、可動棚板１４は、側板３と仕切り板１０の対向部位に形成されたダボ穴５０とこれに嵌合する例えば金属によって構成されたクランク形のダボ５２により４点支持方式で支持されている（図面では片側の２点のみを示している）。即ち、可動棚板１４の左右両側の端面には２箇所ずつ合計４箇所に上下方向へ延びる溝５１が形成されており、この４つの溝５１にクランク形のダボ５２がそれぞれ嵌められており、ダボ５２はダボ穴５０に嵌合されている（図３（ｂ）に一箇所のみを示す。）。
【００１７】
なお、ダボ穴５０は上下方向に間隔をおいて複数段形成されており、ダボ５２を嵌合するダボ穴５０の位置を変えることによりハンガーレール１６の高さ位置を使用者に合わせて調整できるようになっている。本実施形態では約２４ｃｍ上下移動できるようになっている。クランク形のダボ５２を使用することにより、後述するようにハンガーレール１８を引き出して、可動棚板１４の前端部を下げようとする荷重がかかっても、後端部が跳ね上がるのを防止することができる。
【００１８】
可動棚部１３には、複数（ここでは４枚）の可動棚板２０が上述したダボによる４点支持方式で支持されており、上下方向に間隔をおいて複数段形成されたダボ穴の位置を変えることにより、可動棚板２０間の間隔を任意に変えられるようになっている。本実施形態では３ｃｍ単位で調整ができるようになっている。
本実施形態におけるロッカー本体２の奥行寸法は、約４２ｃｍに設定されており、可動棚板２０で多段に区画される収納部ではほとんどの物を収納でき、深すぎて手が届かないという不具合もない。
図４に示すように、ロッカー本体２の前面（扉側）下方、すなわち、床面２１と引き出し８、９との間には、車椅子２２のつま先部２３が入る開口部２４が形成されている。
本実施形態では開口部２４の高さＨは約３０ｃｍに設定されており、つま先部２３に足を乗せた状態で入り込むことができる大きさとなっている。つま先部２３がロッカー本体２内に入ることにより、車椅子２２に乗った人は扉６、７等の操作をする前にロッカー本体２により近づくことができ、出し入れ操作が容易となる。
【００１９】
開口部２４には、ロッカー本体２の奥行方向にスライド自在に、靴を置くための靴置棚２５が設けられている。靴置棚２５は、開口部２４における側板３、４の対向部位に固定されたスライドレール２６に取り付けられており、その幅Ｗは、靴２７を載置でき且つ最も奥側に位置した状態で車椅子２２のつま先部２３の進入を可能とする寸法に設定されている。
引き出し８、９は、車椅子２２や杖を使用する人が使い易いように、その操作位置（取っ手８ａ、９ａの位置）が床面２１から約４５ｃｍの高さに設定されている。
全体的には、床面２１から約４５ｃｍ〜１２０ｃｍの高さ範囲は、車椅子２２や杖を使用する人が自分自身で操作する範囲、それ以外はサポートする人が操作する範囲とするコンセプトの下、車椅子２２や杖を使用する人が使い易い位置に使用頻度の高い機能を集約した構成となっている。
ロッカー本体２の背面板２８は、地震等による転倒を防止するために、室内又は屋内の壁面に固定される。開口部２４における背面板２８は取り除かれており、開口部２４は実質的に側板３、４で区画された空間となっている。
【００２０】
ハンガーレール１６にはハンガー３０が複数掛けられている。但し、図面上は１本だけ表示している。
ハンガー３０は、図１に示すように、洋服１１等が掛けられるハンガー本体３１と、該ハンガー本体３１の上端部に設けられたフック３２と、ハンガー本体３１の前面側（扉側）の中央部に一端側を取り付けられた棒状の持ち手３３を有している。
ハンガー本体３１の中央部には金属製のＵ字状の被係止部材３４が固定されており、持ち手３３の一端部には上記被係止部材３４にクロス係止された金属製のフック状の係止部材３５が固定されている。またハンガー本体３１にはスポンジや硬めのフェルト等から成る弾性ブロック４６が固定され、この弾性ブロック４６はＵ字状の被係止部材３４の内側に備えられている。この弾性ブロック４６はフック状の係止部材３５に弾接しており、係止部材３５を被係止部材３４に対し係止する方向へ付勢している。
【００２１】
上記の連結構成により、持ち手３３は、ハンガー本体３１に対して任意の角度で回動（揺動）可能な自由度を有し、非使用時は垂れ下がった状態となる。また上記のように、弾性ブロック４６はフック状の係止部材３５に弾接しており、係止部材３５を被係止部材３４に対し係止する方向へ付勢している。従って、係止部材３５は弾性ブロック４６を弾性変形させながら揺動し、持ち手３３は、ハンガー本体３１に対してスムーズに回動（揺動）することができる。
被係止部材３４、３５はプラスチックで形成してもよい。また、本実施形態ではリング状部材同士の係止構成によって自由度の高い連結構造としたが、一方に球体を固定するとともに他方に係止凹部を設けるユニバーサルジョイント方式としてもよい。
【００２２】
なお、ハンガー本体３１の両端部には滑り止め塗装が施され、これにより滑り止め部４２が形成されている。
持ち手３３の下端部には、滑り止め機能を有する木製の取っ手３６が設けられている。また持ち手３３の途中部分にはウレタンゴム製のサブグリップ３８が設けられており、このサブグリップ３８は持ち手３３に対しスライド自在に嵌められている。
【００２３】
ハンガー３０に洋服１１を掛けた場合、図１に示すように、持ち手３３は洋服１１の内部に収容され、洋服１１の裾から取っ手３６が下方に突出するだけであり、ハンガー機能及び収納機能はほとんど損なわれない。
図４に示すように、持ち手３３は、車椅子２２に乗った人が手で取っ手３６を容易に掴むことができる長さに設定されている。
【００２４】
車椅子２２に乗った人は、持ち手３３の取っ手３６を片方の手で、サブグリップ３８をもう一方の手で握り、ハンガー３０及び洋服１１を引き寄せて自分に近づける。そして、ハンガー３０をハンガーレール１９から外し、ハンガー３０をフック４０に掛けてから、洋服１１をハンガー３０から外して着る。このように、車椅子２２に乗った人でも、収納本体部１２の奥に収納されている洋服１１を容易に取り出して着ることができる。
なお、サブグリップ３８はスライド自在なので、取っ手３６とサブグリップ３８を自分に合った間隔に調整できる。
逆に、収納本体部１２の奥に収納したい場合には、取っ手３６とサブグリップ３８を握り、持ち手３３で押し込むことにより容易にハンガー３０及び洋服１１を移動させることができる。
複数の服が吊り下げられていて使用したい服が見づらい場合には、持ち手３３で引いてハンガーレール本体１８を前面から突出するように引き出すことにより、容易に使用したい服の選択をすることができる。
【００２５】
本実施形態では持ち手３３を有するハンガー３０を備えたロッカー１を例示したが、開口部２４を有し、通常のハンガーを使用する構成であってもよい。この場合ハンガーレール１６の位置を下げるようにすれば一層使い勝手が良い。
上述のように、本発明に係るロッカーは、車椅子２２や杖を使用する人にとって使い勝手が良いので、福祉施設や擁護施設等においても好適に用いることができる。
なお、上記の各具体的寸法はあくまでも一例であって、これに限定される趣旨ではない。
【図面の簡単な説明】
【００２６】
【図１】本発明の一実施形態におけるハンガーの斜視図である。
【図２】本発明の一実施形態におけるロッカーの扉や引き出しを開けた状態の斜視図である。
【図３】可動棚板を側板と仕切り板に支持する構成を示す斜視図である。
【図４】車椅子に乗った人が服を取り出す際の使用状態を示す概要断面図である。
【図５】ハンガーレールを引き出した状態の概要断面図である。
【符号の説明】
【００２７】
２    ロッカー本体              １６    ハンガーレール
２３    つま先部                ２４    開口部
２５    開口部                  ３０    ハンガー
３１    ハンガー本体            ３２    フック
３３    持ち手                  ３４    被係止部材
３５    係止部材
【図１】
2006068026.tif 000003
【図２】
2006068026.tif 000004
【図３】
2006068026.tif 000005
【図４】
2006068026.tif 000006
【図５】
2006068026.tif 000007